(57)【要約】【課題】本発明は、一の物品の端部に対して他の物品の端部を離間させて保持しつつ、物品の脱落を抑制することができる包装用ラベル、及びラベル付き物品の提供を目的とした。【解決手段】本発明の包装用ラベル１０は、複数の収容部１８を有し、収容部１８の一をなす第一収容部２０に対し、他の一又は複数の収容部１８をなす第二収容部３０が、軸線方向Ｘに沿った接続部１２を介して側方に連続するように形成されており、接続部１２の端部１２ａの少なくとも一つは、第一収容部２０の端縁２０ａよりも第一収容部２０軸線方向Ｘ内側にあり、第二収容部３０が、第二開口３２を有し、開口３２のうちの少なくとも一つの開口縁３２ａにおいて、接続部１２の端部１２ａから離間した他の部分が、接続部１２の端部１２ａより第二収容部３０の軸線方向Ｘ外側にあることを特徴とする。【選択図】図５
2019177906.tif 000002
【特許請求の範囲】
【請求項１】
熱収縮性フィルムにより形成され、複数の物品を結束して包装するための包装用ラベルであって、
筒状に形成された複数の収容部を有し、
前記収容部の一をなす第一収容部に対し、他の一又は複数の前記収容部をなす第二収容部が、前記収容部における軸線方向に沿った接続部を介して側方に連続するように形成されており、
前記接続部の端部の少なくとも一つは、前記第一収容部の端縁よりも前記軸線方向内側にあり、
前記第二収容部が、少なくとも一つの開口を有し、
前記第二収容部に設けられた前記開口である第二開口のうちの少なくとも一つの開口縁において、前記接続部の端部から離間した他の部分が、前記接続部の端部より前記軸線方向外側にあることを特徴とする包装用ラベル。
【請求項２】
前記開口縁における前記接続部の端部と対向する部分が、前記接続部の端部より前記軸線方向外側にあることを特徴とする請求項１記載の包装用ラベル。
【請求項３】
前記開口縁が、前記接続部の端部を含むことを特徴とする請求項１又は２に記載の包装用ラベル。
【請求項４】
前記第二収容部が、前記接続部の端部から幅方向に延びる基準線よりも前記軸線方向外側に形成された巻込部を少なくとも一つ有し、
前記巻込部のうちの少なくとも一つは、前記基準線から前記開口縁までの離間距離が、前記接続部側の部分よりも前記接続部と対向する部分のほうが大きいことを特徴とする請求項１〜３のいずれかに記載の包装用ラベル。
【請求項５】
少なくとも前記第二収容部が、物品の胴部を被覆可能とされた胴部被覆部を備えることを特徴とする請求項１〜４のいずれかに記載の包装用ラベル。
【請求項６】
少なくとも一の前記収容部が、前記軸線方向のうち一方に前記開口を備え、他方に閉塞部を備える袋状とされていることを特徴とする請求項１〜５のいずれかに記載の包装用ラベル。
【請求項７】
前記接続部が、前記第一収容部の収容領域と前記第二収容部の収容領域とを区画する区画部とされていることを特徴とする請求項１〜６のいずれかに記載の包装用ラベル。
【請求項８】
前記第二収容部よりも前記第一収容部のほうが大きいことを特徴とする請求項１〜７のいずれかに記載の包装用ラベル。
【請求項９】
請求項１〜８のいずれかに記載の包装用ラベルと、
前記第一収容部及び前記第二収容部に収容された物品と、を有するラベル付き物品であって、
前記物品の端部において、前記開口縁は、前記接続部の端部側に位置する部分に比して他の部分が、前記第二収容部に収容された物品の端部の軸中心に近い位置にあることを特徴とするラベル付き物品。
【請求項１０】
前記開口縁は、前記接続部の端部側に位置する部分に比して前記接続部の端部に対向する部分が、前記第二収容部に収容された物品の端部の軸中心に近い位置にあることを特徴とする請求項９に記載のラベル付き物品。
【発明の詳細な説明】
【技術分野】
【０００１】
本発明は、複数の物品を結束して包装する包装用ラベル、及び包装用ラベルにより物品が結束して包装されたラベル付き物品に関する。
【背景技術】
【０００２】
従来、熱収縮性フィルムによって複数の物品を一纏めに結束する結束材として用いられる包装用ラベルが提供されている。例えば、下記特許文献１には、筒状の熱収縮性フィルムに複数の物品を収容しうるように区画するための接続部が設けられた包装用ラベル、また、その包装用ラベルが複数の物品に各々外嵌装着されている複数物品包装体が開示されている。
【０００３】
特許文献１の複数物品包装体は、複数の物品の端部の位置が揃っており、全ての物品が設置面に載置される構成となっている。
【先行技術文献】
【特許文献】
【０００４】
【特許文献１】登録実用新案第３０２５９２０号公報
【発明の概要】
【発明が解決しようとする課題】
【０００５】
ところで、近年では、包装用ラベルを用いて複数の物品を結束して包装する場合において、包装対象とされた複数の物品の大きさの差や、陳列する場所等に応じた結束形態を実現可能とする包装用ラベルが求められている。例えば、複数の物品の間に大きさの差がある場合、複数の物品の底面が面一となるように結束して包装すると、一の物品（第一物品）に対して小さいほうの他の物品が目立ちにくい、あるいは他の物品が値札に隠れてしまう等の問題がある。このような問題に対応するため、複数の物品を結束して包装する包装用ラベルにおいて、他の物品を値札に隠れない位置に保持したい等の要望が聞かれるようになった。
【０００６】
本発明の発明者らが、一の物品（第一物品）の接地面をなす端部と他の物品（第二物品）の端部とを離間させるように、第一物品に対して第二物品を浮かせて添付するように保持させて結束する構成を検討したところ、特許文献１の包装ラベルでは、複数物品包装体としたときに、第二物品の端部より下に存在する熱収縮した包装ラベルの余剰部分によって、複数物品包装体の美観を大きく損なうことがわかった。そのため、当該余剰部分を切除した包装用ラベルの構成を検討したが、区画した接合部分の存在によって第二物品の端部を熱収縮した包装ラベルが保持できないために、第二物品が脱落しやすいという問題があることが発見された。
【０００７】
そこで本発明は、一の物品の端部に対して他の物品の端部を離間させて保持しつつ、物品の脱落を抑制することができる包装用ラベル、及びラベル付き物品の提供を目的とした。
【課題を解決するための手段】
【０００８】
本発明の包装用ラベルは、熱収縮性フィルムにより形成され、複数の物品を結束して包装するための包装用ラベルであって、筒状に形成された複数の収容部を有し、前記収容部の一をなす第一収容部に対し、他の一又は複数の前記収容部をなす第二収容部が、前記収容部における軸線方向に沿った接続部を介して側方に連続するように形成されており、前記接続部の端部の少なくとも一つは、前記第一収容部の端縁よりも前記軸線方向内側にあり、前記第二収容部が、少なくとも一つの開口を有し、前記第二収容部に設けられた前記開口である第二開口のうちの少なくとも一つの開口縁において、前記接続部の端部から離間した他の部分が、前記接続部の端部より前記軸線方向外側にあることを特徴とするものである。
【０００９】
本発明の包装用ラベルによれば、一の物品の端部に対して他の物品の端部を離間させて保持しつつ、物品の脱落を抑制することができる。具体的には、本発明の包装用ラベルは、複数の物品を包装した状態において、接続部の端部から離間した他の部分の熱収縮性フィルムを、第二収容部に収容された物品の端部の少なくとも一部を巻き込むように熱収縮させることができる。これにより、本発明の包装用ラベルは、第二収容部に収容された物品（第二物品）の端部を巻き込みつつ保持して、第二物品の脱落を抑制することができる。その結果、本発明の包装用ラベルは、第一収容部に収容された物品の底面が接地され、第二物品が宙に浮くように保持された状態において、第二物品が脱落することを抑制することができる。
【００１０】
また、本発明の包装用ラベルは、第二物品を宙に浮いたように保持させることによる視覚的な効果を有するほか、第一物品と結束された第二物品が値札などに隠れてしまうことを抑制することができる。
【００１１】
本発明の包装用ラベルは、前記開口縁における前記接続部の端部と対向する部分が、前記接続部の端部より前記軸線方向外側にあることが望ましい。
【００１２】
本発明の包装用ラベルによれば、接続部から最も離れた部分の熱収縮性フィルムを、第二収容部に収容された物品の端部の少なくとも一部を巻き込むように熱収縮させることができるため、一の物品の端部に対して他の物品の端部を離間させて保持しつつ、物品の脱落をより効果的に抑制することができる。その結果、本発明の包装用ラベルは、第一収容部に収容された物品の底面が接地され、第二物品が宙に浮くように保持された状態において、第二物品が脱落することを確実に抑制することができる。これにより、本発明の包装用ラベルは、第二物品を宙に浮いたように保持させることによる視覚的な効果を有するほか、第一物品と結束された第二物品が値札などに隠れてしまうことを抑制することができる。
【００１３】
また、本発明の包装用ラベルは、前記開口縁が、前記接続部の端部を含むことを特徴とするものである。
【００１４】
上述の構成によれば、製造が容易で、且つ物品の端部に対して開口縁を径方向内側にスムーズに折り込み、包装用ラベルにより物品を包装した状態において、見栄え良く仕上げることができる。
【００１５】
また、本発明の包装用ラベルは、前記第二収容部が、前記接続部の端部から幅方向に延びる基準線よりも軸線方向外側に形成された巻込部を少なくとも一つ有し、前記巻込部のうちの少なくとも一つは、前記基準線から前記開口縁までの離間距離が、前記接続部側の部分よりも前記接続部と対向する部分のほうが大きいものであることが望ましい。
【００１６】
上述の構成によれば、一の物品の端部に対して他の物品の端部を離間させて保持しつつ、物品の脱落を抑制することができる。これにより、本発明の包装用ラベルは、第二収容部に収容された物品（第二物品）の端部を巻き込みつつ保持して、第二物品の脱落を抑制することができる。その結果、本発明の包装用ラベルは、第一収容部に収容された物品の底面が接地され、第二物品が宙に浮くように保持された状態において、第二物品が脱落することを抑制することができ、第二物品を宙に浮いたように保持させることによる視覚的な効果を有するほか、第一物品と結束された第二物品が値札などに隠れてしまうことを抑制することができる。
【００１７】
また、本発明の包装用ラベルは、少なくとも前記第二収容部が、物品の胴部を被覆可能とされた胴部被覆部を備えるものであってもよい。
【００１８】
上述の構成によれば、周囲被覆部により物品の周部を被覆することができる。これにより、本発明の包装用ラベルは、より好適に物品を保持することができる。
【００１９】
さらに、本発明の包装用ラベルは、少なくとも一の前記収容部が、軸線方向のうち一方に前記開口を備え、他方に閉塞部を備える袋状とされているものであってもよい。
【００２０】
上述の構成によれば、物品を収容部に収容させた状態において、物品を軸線方向に容易に位置決めすることができる。そのため、本発明の包装用ラベルは、収容部に物品を収容する作業の作業性を向上させることができる。また、埃等により、保持された物品の汚染を防止することができる。
【００２１】
さらに、本発明の包装用ラベルは、前記接続部が、前記第一収容部の収容領域と前記第二収容部の収容領域とを区画する区画部とされていることが望ましい。
【００２２】
上述の構成によれば、よりスムーズに物品を各収容部に収容することができる。その結果、本発明の包装用ラベルは、収容部に物品を収容する作業の作業性を向上させることができる。さらに、本発明の包装用ラベルによれば、複数の物品が結束して包装された状態において、各物品の位置ズレを抑制することができる。
【００２３】
本発明の包装用ラベルは、前記第二収容部よりも前記第一収容部のほうが大きいものとしてもよい。
【００２４】
上述の構成によれば、大きさの異なる第一物品と第二物品とを好適に保持することができる。例えば、上述の構成によれば、メインとなる物品に対して、サブとなる物品を試供品として結束して包装することができる。
【００２５】
本発明のラベル付き物品は、上述したうちのいずれかの包装用ラベルと、前記第一収容部及び前記第二収容部に収容された物品と、を有するラベル付き物品であって、前記物品の端部において、前記開口縁は、前記接続部の端部側に位置する部分に比して他の部分が、前記第二収容部に収容された物品の端部の軸中心に近い位置にあることを特徴とするものである。
【００２６】
本発明のラベル付き物品は、複数の物品を包装した状態において、接続部の端部から離間した他の部分の熱収縮性フィルムを第二収容部に収容された物品の端部の少なくとも一部を巻き込むように熱収縮された状態であり、第二収容部におけるラベルの開口縁は、接続部の端部側に位置する部分に比して他の部分が、第二収容部に収容された物品の端部の軸中心に近い位置にあることから、第二収容部に収容された物品（第二物品）の端部を巻き込みつつ保持している。その結果、本発明のラベル付き物品は、第一収容部に収容された物品の底面が接地され、第二物品が宙に浮くように保持された状態において、第二物品が脱落することを抑制することができる。これにより、本発明のラベル付き物品は、第二物品を宙に浮いたように保持させることによる視覚的な効果を有するほか、第一物品と結束された第二物品が値札などに隠れてしまうことを抑制することができる。
【００２７】
また、本発明のラベル付き物品は、前記開口縁は、前記接続部の端部側に位置する部分に比して前記接続部の端部に対向する部分が、前記第二収容部に収容された物品の端部の軸中心に近い位置にあることが望ましい。
【００２８】
本発明のラベル付き物品によれば、接続部から最も離れた部分の熱収縮性フィルムを、第二収容部に収容された物品の端部の少なくとも一部を巻き込むように熱収縮させることができるため、より効果的に第二収容部に収容された物品（第二物品）の端部を巻き込みつつ保持して、第二物品の脱落を抑制することができる。その結果、本発明のラベル付き物品は、第一収容部に収容された物品の底面が接地され、第二物品が宙に浮くように保持された状態において、第二物品が脱落することを抑制することができ、第二物品を宙に浮いたように保持させることによる視覚的な効果を有するほか、第一物品と結束された第二物品が値札などに隠れてしまうことを抑制することができる。
【発明の効果】
【００２９】
本発明によれば、一の物品の端部に対して他の物品の端部を離間させて保持しつつ、物品の脱落を抑制することができる包装用ラベル、及びラベル付き物品を提供することができる。
【図面の簡単な説明】
【００３０】
【図１】本発明の実施形態に係る包装用ラベルを示す平面図である。
【図２】図１の包装用ラベルにより物品が結束されたラベル付き物品を示す正面図である。
【図３】図１の包装用ラベルに物品を収容させた状態を示す正面図である。
【図４】図１の包装用ラベル及び物品を示す斜視図である。
【図５】図２のラベル付き容器を示す斜視図である。
【図６】図１の包装用ラベルを構成する熱収縮性フィルムを示す斜視図である。
【図７】図６の熱収縮性フィルムの接合部が形成された状態を示す断面図である。
【図８】図６の熱収縮性フィルムが扁平状に折りたたまれた状態を示す平面図である。
【図９】図６の熱収縮性フィルムの不要部分を示す平面図である。
【図１０】本発明の包装用ラベルの実施形態の一例を示す平面図である。
【図１１】本発明のラベル付き容器の一例を示す正面図である。
【図１２】本発明の包装用ラベルの実施形態の一例を示す平面図である。
【図１３】本発明の包装用ラベルの実施形態の一例を示す平面図である。
【図１４】図１３の包装用ラベルにより物品が結束された状態を示す斜視図である。
【発明を実施するための形態】
【００３１】
以下、本発明の実施形態に係る包装用ラベル１０、及びラベル付き物品６０について説明する。包装用ラベル１０は、熱収縮性フィルム１を所定の形状に形成することにより、扁平状に折りたたまれた状態を平面視した場合において、図１に示す形状とされる。
【００３２】
なお、本明細書において、「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
【００３３】
包装用ラベル１０は、２以上の物品Ｇを結束して包装するために用いられる。本実施形態の包装用ラベル１０は、包装対象とされた２つの物品Ｇを結束して包装することができる。図２等に示すとおり、包装用ラベル１０は、例えば、チューブ容器に化粧品などの商品が収容された第一物品Ｇｍ（物品）と、ボトル容器に化粧品などの商品が収容された第二物品Ｇｓ（物品）とを結束して包装可能とされている。
【００３４】
＜包装用ラベルの包装対象とされる物品について＞
本発明の包装用ラベル１０の包装対象とされる物品Ｇは、いかなる物品であってもよい。例えば、物品Ｇは、合成樹脂成形容器、金属容器、ガラス容器、陶器容器などの容器を備えるものとすることができる。物品Ｇの外形は、後述する開口１９から収容部１８に導入可能とされたものであれば特に限定されない。例えば、物品Ｇの外形は、略円柱状、小径の略円柱と大径の略円柱が組み合わされた形状、略楕円柱状、略四角柱状などの略多角柱状、略円錐台状や略四角錐台状などの略錐台状、略円錐状や略四角錐状などの略錐状、これらが組み合わされた形状、その他の異形状などが挙げられる。また、物品Ｇは、ポンプ作用で商品を取り出すことができるポンプ機構を備える蓋部を有する容器を備えるものであってもよい。
【００３５】
また、本発明の包装用ラベル１０の包装対象とされる物品Ｇは、液状、クリーム状等の製品が容器に収容されたものに限定されない。例えば、本発明の包装用ラベル１０の包装対象とされる物品Ｇは、商品そのものでもよく、商品が包材に収容されているものでもよい。商品そのものとしては、例えば、おもちゃ、歯ブラシ、機械装置及びその部品などが挙げられる。商品が包材に収容されているものとしては、例えば、飲料や調味料などの飲食品、化粧品などの美容品、シャンプーなどのサニタリー品、消毒薬などの医薬品・工業薬品などの商品が収容された硬質容器；前記飲食品などの商品が収容された軟包材などが挙げられる。
【００３６】
さらに、本発明の包装用ラベル１０は、一の物品Ｇを商品などとして、他の物品Ｇを台紙として、台紙に対して商品を結束して包装するものとして用いられるものであってもよい。また、本発明の包装用ラベル１０は、後述する一の収容部１８に対して２以上の物品が収容されるものであってもよい。
【００３７】
以下の本発明の包装用ラベル１０及びラベル付き物品６０の説明では、先ず熱収縮性フィルム１を包装用ラベル１０として形成する過程の概略について説明した後に包装用ラベル１０の構成について説明し、次いで複数の物品が包装用ラベル１０により結束されたラベル付き物品６０について説明する。
【００３８】
＜包装用ラベルを形成する過程について＞
包装用ラベル１０は、熱収縮性フィルム１に対して熱加工や切断加工を行うことにより製造される。包装用ラベル１０は、後述する収容部１８（第一収容部２０及び第二収容部）の主たる熱収縮方向が周方向となるよう、熱収縮性フィルム１が筒状に形成される。
【００３９】
熱収縮性フィルム１は、例えば７０℃〜１００℃のような所望温度に加熱されると、少なくとも一方向（主たる熱収縮方向）に熱収縮する性質を有する。かかる性質を本明細書で熱収縮性という。また、熱収縮性フィルム１は、他方向（他方向は、フィルム面内で前記一方向に直交する方向）にも若干熱収縮又は熱伸張するものでもよい。熱収縮性フィルム１の熱収縮率（物品保持部の熱収縮率に等しい）は、特に限定されず、例えば、９０℃に加熱した際の一方向における熱収縮率は、２０％以上であり、好ましくは３０％以上、より好ましくは４０％以上であり、さらに好ましくは５０％以上である。なお、熱収縮性フィルム１が他方向にも若干熱収縮又は熱伸張する場合、その９０℃に加熱した際の他方向における熱収縮率は、例えば、−３％〜１５％である。前記他方向の熱収縮率のマイナスは、熱伸張を意味する。前記９０℃に加熱した際の熱収縮率は、加熱前のフィルムの長さ（元の長さ）と、フィルムを９０℃の温水中に１０秒間浸漬した後のフィルムの長さ（浸漬後の長さ）の割合であり、下記式に代入して求められる。
【００４０】
熱収縮率（％）＝［｛（一方向（又は他方向）の元の長さ）−（一方向（又は他方向）の浸漬後の長さ）｝／（一方向（又は他方向）の元の長さ）］×１００。
【００４１】
熱収縮性フィルム１としては、特に限定されず、代表的には、合成樹脂フィルムが挙げられる。
【００４２】
例えば、熱収縮性フィルム１としては、ポリスチレンなどのポリスチレン系樹脂、ポリエチレンテレフタレート、ポリ乳酸などのポリエステル系樹脂、ポリプロピレン、環状オレフィンなどのポリオレフィン系樹脂、ポリカーボネート、塩化ビニル系樹脂などの熱可塑性樹脂からから選ばれる１種単独、又は２種以上の混合物などを含むフィルムを用いることができる。熱収縮性フィルム１として、熱収縮性を有する２種以上のフィルムが積層され且つ一体化された積層フィルムや、金属蒸着層などの非熱収縮層が熱収縮性を有するフィルムに積層され且つ一体化された積層フィルムを用いることもできる。フィルムは公知の製法で製膜し、延伸し、熱エージング処理することにより熱収縮性を付与できる。
【００４３】
熱収縮性フィルム１の厚みは、特に限定されず、例えば、２０μｍ〜１００μｍであり、好ましくは、２５μｍ〜８０μｍであり、より好ましくは、２５μｍ〜５０μｍである。
【００４４】
熱収縮性フィルム１は、透明又は不透明のいずれでもよいが、内面側に意匠印刷層が設けられる場合には、透明なものが用いられる。前述の熱収縮性フィルムにおける「透明」とは、有色透明及び無色透明が含まれる。熱収縮性フィルム１は、好ましくは、無色透明の熱収縮性フィルムが用いられる。
【００４５】
なお、特に図示しないが、熱収縮性フィルム１には、所望のデザインが表された意匠印刷層；遮光性を付与するための遮光印刷層；熱収縮性フィルムの外面に設けられる表面保護層；熱収縮性フィルムの内面に設けられる滑り層；などの各種の機能層が設けられていてもよい。
【００４６】
また、後述する熱溶断法にて包装用ラベル１０を形成する場合には、熱収縮性フィルム１には、熱溶断可能なものが用いられる。なお、「熱溶断」とは、熱溶着且つ破断することをいう。
【００４７】
さらに、熱溶着可能（より好ましくは熱溶断可能）な熱収縮性フィルム１としては、自己熱溶着性を有していれば特に限定されず、例えば、ポリオレフィン系樹脂フィルム、ポリ塩化ビニル系樹脂フィルム、ポリエステル系樹脂フィルム、ポリスチレン系樹脂フィルムなどが挙げられ、好ましくは、ポリエステル系樹脂フィルムが用いられる。前記ポリエステル系樹脂フィルムは、フィルムを構成する主成分樹脂がポリエステル系樹脂である。ポリエステル系樹脂としては、例えば、ジカルボン酸成分とジオール成分を必須の構成成分として構成されたポリエステル（すなわち、ジカルボン酸に由来する構成単位（構造単位）とジオールに由来する構成単位を含むポリエステル）、ポリ乳酸系重合体などが挙げられる。なお、ポリ乳酸系樹脂に、ポリオレフィン系樹脂のようなポリ乳酸系樹脂よりも軟質な樹脂を一定割合で混入させた樹脂はバイオマス樹脂と呼ばれている。環境面を配慮しているという点から、このようなバイオマス樹脂を用いることも好ましい。
【００４８】
包装用ラベル１０は、例えば、１枚の熱収縮性フィルム１を用いた熱溶着、熱溶断等の方法により製造することができる。ただし、本発明の包装用ラベル１０は、以下に示す方法で製造する場合に限られず、これ以外の方法で製造することもできる。
【００４９】
例えば、包装用ラベル１０の製造方法は、長尺帯状の熱収縮性フィルム１の原反の両側端部及び背面フィルム部１ａを接着して扁平筒状体を得る工程（扁平筒状体の形成工程）、溶着接合部５の形状に沿う加熱部を有する熱シールバー（図示を省略）を用いて、扁平筒状体とされた熱収縮性フィルム１の溶着接合部５を形成すると同時に溶着接合部５の中間部に破断線を形成する工程（熱溶断工程）、及び１つの包装用ラベル１０を含むように扁平筒状体を短手方向に切断する工程（切り出し工程）、を有する。必要に応じて、扁平筒状体にミシン目線を形成する工程（ミシン目線形成工程）を有していてもよく、また、切り出し工程の後に不要部分を除去する工程（不要部分除去工程）を有していてもよく、また、微細孔を形成する工程を有していてもよい。
【００５０】
熱収縮性フィルム１を包装用ラベル１０として形成するにあたり、先ず、主たる熱収縮方向を短手方向とする長尺帯状の熱収縮性フィルム１の原反を準備する。図６及び図７に示すとおり、熱収縮性フィルム１の原反を短手方向が周方向となるように、左右の両側端部のうち一方のフィルム端１ｃを背面フィルム部１ａに向けて折りたたみ、さらに他方のフィルム端１ｄを背面フィルム部１ａに向けて折りたたんで、背面フィルム部１ａ及び両側端部を接着して接合部２を形成する。熱収縮性フィルム１の両側端部の接着方法は、従来公知の方法を採用でき、代表的には、溶剤を用いた接着であるが、接着剤を用いた接着、接着テープを用いたテープ貼り接着などでもよい。
【００５１】
図８に示すとおり、熱収縮性フィルム１は、接合部２において区画される二つの筒状部が形成され、扁平状に折りたたまれた状態となる。本明細書において、扁平状にした筒状の熱収縮性フィルム１を「扁平筒状体９」と記載する場合がある。扁平筒状体９の正面フィルム部１ｂ及び背面フィルム部１ａに貫通するように、長手方向にミシン目線４が形成される。
【００５２】
なお、接合部２の幅の長さは、特に限定されないが、包装用ラベルの形状や包装対象とされた物品Ｇ等を考慮して幅の長さが決定されることが望ましい。例えば、後述するとおり、本実施形態の包装用ラベル１０において、接合部２は第一収容部２０と第二収容部３０とを区画しつつ連結する区画部１４として機能する。そのため、接合部２の幅が余りに大きいと、包装用ラベル１０を形成した際に、第一物品Ｇｍを保持した第一収容部２０に対して第二物品Ｇｓを保持した第二収容部３０がぐらつき易くなる。かかる観点から、接合部２の幅の長さは、例えば、１５ｍｍ以下であり、好ましくは、１０ｍｍ以下である。なお、接合部２の幅の長さは、正面視において図１及び図８の左右方向における長さを意味する。
【００５３】
次に、図９に示すとおり、溶着接合部５の形状に合った所定幅の加熱部を有する熱シールバー（図示を省略）を、扁平筒状体９の正面フィルム部１ｂに押し当てる。或いは、扁平筒状体９を挟むようにして上下一対の熱シールバー（図示せず）を正面フィルム部１ｂ及び背面フィルム部１ａに押し当てる。
【００５４】
熱シールバーの加熱部が当たった範囲の幅方向中間部には、線状の破断線（図示を省略）が生じ、その破断線の両側部において正面フィルム部１ｂと背面フィルム部１ａとが熱溶着した溶着接合部５が生じる。加熱部の温度（熱溶断の温度）は、フィルムが溶断しうる温度以上であり、フィルムの材質に応じて適宜設定され、例えば、２５０℃〜３００℃などが例示できる。
【００５５】
次に、図９においてハッチングされた部分として示す不要部分７，８を除去する。具体的には、溶着接合部５に形成される破断線により分離される不要部分７を除去し、切断加工により不要部分８を除去する。なお、不要部分７が除去された状態では、溶着接合部５の残存部分において正面フィルム部１ｂと背面フィルム部１ａとが熱溶着した溶断部１６が形成される。上述の過程を経て、図１に示す扁平状に折り畳まれた状態の包装用ラベル１０が得られる。
【００５６】
＜包装用ラベルの構成について＞
続いて、包装用ラベル１０の構成について、図面を参照しつつ説明する。包装用ラベル１０は、上述した過程を経て得られる扁平状に折りたたまれた状態において、図１に示す形状を有している。包装用ラベル１０は、物品Ｇを包装する前の状態では、扁平状に折り畳んだ状態で保管・運搬に供され、使用時（物品Ｇを包装する際）に筒状に展開される。
【００５７】
また、図２に示すとおり、包装用ラベル１０に複数の物品Ｇ（第一物品Ｇｍ及び第二物品Ｇｓ）を収容させて包装用ラベル１０を熱収縮させると、複数の物品Ｇが結束して包装されたラベル付き物品６０が得られる。
【００５８】
上述のとおり、包装用ラベル１０は、第一物品Ｇｍ及び第二物品Ｇｓが包装対象の物品Ｇとされている。図２及び図４に示すとおり、第一物品Ｇｍは、長手方向の両端部のうち一方に蓋体を有する。また、第一物品Ｇｍの蓋体は、略円形の端面Ｆｍが形成される端部Ｅｍを有する。第一物品Ｇｍは、蓋体の端面Ｆｍを接地させることにより、端面Ｆｍを底面として直立した姿勢を維持可能とされている。言い方を変えれば、第一物品Ｇｍは、長手方向の端面Ｆｍを接地させることにより、直立した姿勢で陳列可能とされている。また、第一物品Ｇｍは、長手方向の長さがＬ１とされ、端面Ｆｍの直径がＤ１とされている。
【００５９】
図２及び図４に示すとおり、第二物品Ｇｓは、略円柱状の外観を備えている。第二物品Ｇｓは、長手方向の両端部のうち端部Ｅｓに、ボトル容器の底面をなす略円形の端面Ｆｓを有している。第二物品Ｇｓは、長手方向の長さがＬ２とされ、端面Ｆｓの直径がＤ２とされている。図２に示すとおり、第二物品Ｇｓの長手方向の長さＬ２は、第一物品Ｇｍの長手方向の長さＬ１よりも小さい（Ｌ２＜Ｌ１）。また、第二物品Ｇｓの端面Ｆｓの直径Ｄ２は、第一物品Ｇｍの端面Ｆｍの直径Ｄ１よりも小さい（Ｄ２＜Ｄ１）。すなわち、第二物品Ｇｓの大きさは、第一物品Ｇｍの大きさと比較して小さい。このように、包装用ラベル１０は、大きさの異なる二つの物品Ｇ（第一物品Ｇｍ及び第二物品Ｇｓ）を包装対象とされている。
【００６０】
図１に示すとおり、包装用ラベル１０は、複数（本実施形態では２つ）の収容部１８を有している。より具体的には、包装用ラベル１０は、第一の収容部１８として第一収容部２０を備え、第二の収容部１８として第二収容部３０を備えている。
【００６１】
また、収容部１８は、物品Ｇを導入するための開口１９を有している。より具体的には、第一収容部２０には第一開口２２（開口）が設けられ、第二収容部３０には第二開口３２（開口、第二開口）が設けられている。
【００６２】
なお、以下の説明において、収容部１８の軸線方向を、単に「軸線方向Ｘ」と記載する場合がある。さらに、軸線方向Ｘと交差する方向であって、包装用ラベル１０が扁平状とされた状態における幅方向を、単に「幅方向Ｙ」と記載して説明する場合がある。
【００６３】
包装用ラベル１０は、第一収容部２０に対して第二収容部３０が境界Ｂを介して側方に連続するように設けられている。
【００６４】
包装用ラベル１０は、背面フィルム部１ａと正面フィルム部１ｂとが接着された接合部２を備えている。図１に示すとおり、接合部２は、第一収容部２０の幅方向Ｙの両側の側方のうち、一方の側方をなす側部２０ａの軸線方向Ｘの一端から他端に至るように設けられている。また、接合部２のうち、第一収容部２０と第二収容部３０とが隣接する部分では、第一収容部２０と第二収容部３０とを隣接して接続させる接続部１２とされている。図１に示すとおり、接続部１２は軸線方向Ｘに沿って形成されている。
【００６５】
接続部１２の端部１２ａは、第一収容部２０の側部２０ａに配置されている。また、接続部１２は、端部１２ａが第一収容部２０の端部２１ａ（端縁）よりも軸線方向Ｘ内側に形成されている。言い方を換えれば、第二収容部３０の第一収容部２０に対する接続部分は、第一収容部２０の側部２０ａの中間部に配置されるように形成されている。
【００６６】
なお、以下の説明において、端部１２ａから幅方向Ｙに延びる線を以下において「基準線Ｃ」と記載する場合がある。
【００６７】
また、接続部１２は、第一収容部２０の収容領域と第二収容部３０の収容領域とを区画する区画部１４として機能する。すなわち、第一収容部２０と第二収容部３０とは、熱収縮性フィルム１が接着されて形成される区画部１４において、連結されつつ区画されている。このように、第一収容部２０と第二収容部３０とは、各々独立して物品Ｇを収容することができる収容領域を形成している。
【００６８】
なお、接続部１２における熱収縮性フィルムの接合方法は、溶剤を用いた接着、接着剤を用いた接着、接着テープを用いたテープ貼り接着、フィルム自体の溶融による接着（つまり、溶着）など、種々選択可能である。
【００６９】
図３に示すとおり、第二収容部３０に第二物品Ｇｓを収容させた状態では、第二物品Ｇｓは、端面Ｆｓが基準線Ｃと概ね一致するように収容される。言い換えれば、基準線Ｃは、第二物品Ｇｓを第二収容部３０に収容させた場合において、第二物品Ｇｓの容器底面が配置される物品底面想定位置であると言える。
【００７０】
第一収容部２０は、熱収縮性フィルム１が筒状をなすように形成され、軸線方向Ｘの両端のうち一方に第一開口２２（開口）が形成され、他方が溶断部１６（閉塞部）により閉塞された袋状の収容領域を形成している。第一収容部２０は、第一開口２２から第一物品Ｇｍを導入して、内部に形成される収容領域に第一物品Ｇｍを収容可能とされている。第一収容部２０は、包装用ラベル１０が扁平状とされた状態における平面視において、概ね矩形の輪郭を形成している。なお、本明細書において「筒状」とは、熱収縮フィルム１の両端が接続されて環状をなしているものが含まれる。すなわち、「筒状」とは、軸線方向の両側が開口とされているもの、及び両側のうち一方が開口とされ他方が閉塞されているものの双方が含まれる。
【００７１】
また、図１に示すとおり、第一収容部２０には、第一開口２２から溶断部１６に至るように延びるミシン目部５０が設けられている。なお、ミシン目部５０は、軸線方向Ｘ全体に亘って形成されていてもよいし、第一開口２２から溶断部１６に至る経路の一部に形成されたものであってもよい。
【００７２】
第一収容部２０は、第一胴部被覆部２８（胴部被覆部）と、第一巻込部２６とを有している。第一胴部被覆部２８は、第一物品Ｇｍを収容して包装用ラベル１０が熱収縮された状態において、第一物品Ｇｍの周部を被覆するように熱収縮される。また、第一巻込部２６は、第一物品Ｇｍを収容して包装用ラベル１０が熱収縮された状態において、第一物品Ｇｍの端面Ｆｍを巻き込むように熱収縮される。これにより、包装用ラベル１０は、第一収容部２０に第一物品Ｇｍを収容させて保持可能とされている。
【００７３】
第二収容部３０は、熱収縮性フィルム１が筒状をなすように形成され、軸線方向Ｘの両端のうち一方に第二開口３２（開口）が形成され、他方が溶断部１６（閉塞部）により閉塞された袋状の収容領域を形成している。第二収容部３０は、第二開口３２から第二物品Ｇｓを導入して、内部に形成される収容領域に第二物品Ｇｓを収容可能とされている。第二収容部３０は、包装用ラベル１０が扁平状とされた状態における平面視において、上方に湾曲した形状を有し、概ね矩形の輪郭を形成している。
【００７４】
第二収容部３０は、軸線方向Ｘの両端３１ａ，３１ｂが第一収容部２０の両端２１ａ，２１ｂから外れた位置となるように第一収容部２０の側方に配置されている。そのため、包装用ラベル１０は、第一収容部２０に第一物品Ｇｍを収容し、第二収容部３０に第二物品Ｇｓを収容して熱収縮された状態（ラベル付き物品６０とされた状態）では、第二物品Ｇｓは第一物品Ｇｍの側部の中途部に添付されたような状態となり、第二物品Ｇｓの端面Ｆｓを第一物品Ｇｍの端面Ｆｍから離間させるように保持する。そのため、包装用ラベル１０は、第一物品Ｇｍを接地させて鉛直方向に直立するように維持された状態において、第二物品Ｇｓを宙に浮くように第一物品Ｇｍに保持させることができる。
【００７５】
図１に示すとおり、第二開口３２の開口縁３２ａは、幅方向Ｙにおける第一収容部２０と第二収容部３０との境界Ｂ側（接続部１２側）を開口基端部４０とし、接続部１２の端部１２ａと対向する部分を開口他端部４２とすると、開口基端部４０から開口他端部４２に向けて境界Ｂから離れる方向に延びるように形成されている。
【００７６】
また、開口縁３２ａは、端部１２ａを含むように形成されている。すなわち、第二開口３２の開口基端部４０は、端部１２ａの位置と一致するように設けられている。言い方を換えれば、第二開口３２の開口縁３２ａは、第一収容部２０の側部２０ａに形成された端部１２ａから連続して形成されている。
【００７７】
第二開口３２の開口縁３２ａ（開口縁）は、接続部１２の端部１２ａから離間した他の部分が、端部１２ａより軸線方向Ｘ外側となるよう形成されている。より具体的には、開口縁３２ａは、端部１２ａと対向する部分である開口他端部４２が、端部１２ａより軸線方向Ｘ外側となるように形成されている。本実施形態の包装用ラベル１０では、開口縁３２ａにおいて、端部１２ａから離間した他の部分のうち、端部１２ａと対向する部分（端部１２ａから最も離間した部分）である開口他端部４２が、端部１２ａより軸線方向Ｘ外側となるように形成されている。
【００７８】
さらに、第二開口３２の開口縁３２ａは、開口他端部４２が、接続部１２の端部１２ａより第二収容部３０の軸線方向Ｘ外側となるように形成されている。すなわち、第二開口３２の開口縁３２ａは、開口基端部４０よりも開口他端部４２のほうが基準線Ｃとの離間距離が大きくなるように、幅方向Ｙに対して傾斜するよう形成されている。
【００７９】
第二収容部３０は、第二胴部被覆部３８（胴部被覆部）と、第二巻込部３６（巻込部）とを有している。第二胴部被覆部３８は、第二物品Ｇｓを収容して包装用ラベル１０が熱収縮された状態において、第二物品Ｇｓの胴部を被覆するように熱収縮される。
【００８０】
第二巻込部３６は、基準線Ｃよりも軸線方向Ｘ外側に形成されている。第二巻込部３６は、第二収容部３０に第二物品Ｇｓを収容して包装用ラベル１０が熱収縮された状態において、第二物品Ｇｓの端面Ｆｓを巻き込むように熱収縮される。これにより、包装用ラベル１０は、第二収容部３０に第二物品Ｇｓを収容させて保持可能とされている。
【００８１】
ここで、上述のとおり、第二開口３２の開口縁３２ａは、基準線Ｃとの離間距離が開口基端部４０よりも開口他端部４２のほうが大きくなるように形成されている。すなわち、第二巻込部３６は、開口基端部４０から開口他端部４２に向かうに従って、基準線Ｃからの長さが大きくなるような勾配した形状を有する拡張巻込部３７とされている。別の言い方をすれば、拡張巻込部３７は、端部１２ａと一致するように設けられた開口基端部４０から離間するに従って端面Ｆｍを巻き込むことができる面積が拡大するような形状とされている。
【００８２】
そのため、包装用ラベル１０は、第一収容部２０に第一物品Ｇｍを収容し、第二収容部３０に第二物品Ｇｓを収容して熱収縮すると、開口他端部４２側の拡張巻込部３７が第二物品Ｇｓの端面Ｆｓの少なくとも一部を覆うように熱収縮される。また、包装用ラベル１０は、開口基端部４０が端部１２ａと略一致する位置に設けられている。そのため、包装用ラベル１０は、物品Ｇを収容して熱収縮された状態において、開口基端部４０の位置と第二物品Ｇｓの端面Ｆｓの位置とが略一致させつつ拡張巻込部３７を熱収縮させ、端面Ｆｓに対して拡張巻込部３７を径方向内側に折り込むように見栄え良く仕上げることができる。
【００８３】
なお、図２に示すとおり、第二開口３２は、包装用ラベル１０により物品Ｇを結束して包装し、第一物品Ｇｍを接地させた状態において、底面側となる位置に形成されている。また、第二開口３２近傍に設けられた拡張巻込部３７も同様に、包装用ラベル１０により物品Ｇを結束して包装し、第一物品Ｇｍを接地させた状態において、底面側となる位置に形成されている。これにより、包装用ラベル１０は、物品Ｇを包装した状態において、第二物品Ｇｓの底面側を巻き込むように保持し、第二物品Ｇｓが脱落することを抑制することができる。
【００８４】
なお、第一収容部２０及び第二収容部３０の軸線方向Ｘの長さは、保持しようとする物品Ｇに応じて適宜設定可能である。第一収容部２０及び第二収容部３０の軸線方向Ｘの長さは、それぞれ独立して、例えば、各収容部１８に収容される物品Ｇの上下方向の長さ〜上下方向の長さ＋１５ｍｍであり、好ましくは上下方向の長さ＋３ｍｍ〜上下方向長さ＋１０ｍｍである。
【００８５】
第一収容部２０及び第二収容部３０の各周長（内周面の円周）は、それぞれ独立して、例えば、収容部１８に収容される物品Ｇの最大周長を超え最大周長×１．３倍以下であり、好ましくは前記最大周長×１．０５倍〜最大周長×１．２倍である。
【００８６】
＜ラベル付き物品について＞
続いて、複数の物品を包装用ラベル１０により結束して包装されたラベル付き物品６０について説明する。
【００８７】
上述のとおり、第一物品Ｇｍは、接地させて底面として機能する端面Ｆｍを有している。そのため、第一物品Ｇｍは、端面Ｆｍを接地させると、上下方向に起立する姿勢で陳列可能とされている。
【００８８】
なお、以下の説明において、第一物品Ｇｍが接地して直立した姿勢とされた状態において、第一物品Ｇｍの端面Ｆｍ（底面）を単に「基端６２」と記載して説明する場合がある。また、以下の説明において、第一物品Ｇｍが接地して直立した姿勢とされた状態において、第一物品Ｇｍの長手方向を単に「上下方向Ｈ」と記載して説明する場合がある。
【００８９】
図４に示すとおり、ラベル付き物品６０は、第一物品Ｇｍ及び第二物品Ｇｓを各収容部１８に導入させ、包装用ラベル１０を熱収縮させることにより、第一物品Ｇｍ及び第二物品Ｇｓを結束して包装した状態として得られる。
【００９０】
第一物品Ｇｍは、第一収容部２０の第一開口２２に端面Ｆｍが配置されるように収容される。また、第二物品Ｇｓは、第二収容部３０の第二開口３２に端面Ｆｓが配置されるように収容される。
【００９１】
第一物品Ｇｍ及び第二物品Ｇｓを包装用ラベル１０に収容させて、包装用ラベル１０を熱収縮させた状態（ラベル付き物品６０）では、包装用ラベル１０が第一物品Ｇｍ及び第二物品Ｇｓに略密着して被覆する。また、図５に示すとおり、第一収容部２０は、第一開口２２の開口縁２２ａが、第一物品Ｇｍの端面Ｆｍの内側に収縮した状態となるように装着される。また、図５に示すとおり、第二収容部３０は、第二開口３２の開口縁３２ａが、接続部１２の端部１２ａに向けて収縮した状態となるように装着される。その結果、開口縁３２ａは、第二物品Ｇｓの端部Ｅｓにおいて、接続部１２の端部１２ａ側に位置する開口基端部４０に比して、接続部１２の端部１２ａに対向する開口他端部４２が、第二物品Ｇｓの端部Ｅｓの軸中心Ｉに近い位置となる。
【００９２】
上述のとおり、第二収容部３０は、第一収容部２０の側部２０ａに並列するように設けられている。そのため、第一物品Ｇｍ及び第二物品Ｇｓが包装用ラベル１０により包装された状態では、第二物品Ｇｓは、端面Ｆｓが基端６２から離間するように、第一物品Ｇｍの側部に添付された状態で保持される。また、第一物品Ｇｍの端面Ｆｍを接地させて第一物品Ｇｍを直立するような姿勢とされると、第二物品Ｇｓは、第一物品Ｇｍの側部において、接地対象面から上下方向Ｈに離間して保持され、宙に浮いたような状態とされる。
【００９３】
図５に示すとおり、第一物品Ｇｍは、包装用ラベル１０の第一巻込部２６に端面Ｆｍが巻き込まれた状態となる。さらに、第二物品Ｇｓは、第二収容部３０の拡張巻込部３７が端面Ｆｓの少なくとも一部を覆うように装着される。言い換えれば、第二物品Ｇｓは、端面Ｆｓを拡張巻込部３７により第二収容部３０の内部に保持される。これにより、第二物品Ｇｓは、第一物品Ｇｍに宙に浮くように保持されつつ、第一物品Ｇｍから脱落することを抑制される。
【００９４】
また、包装用ラベル１０に物品Ｇを収容し、包装用ラベル１０を熱収縮させる過程において、第一開口２２及び第二開口３２は、相互に離反するように径方向内側に収縮する。この際、拡張巻込部３７が径方向内側に収縮する。そのため、ラベル付き物品６０は、第二物品Ｇｓの巻き込みを見栄え良く仕上げることができる。
【００９５】
以上、本発明の包装用ラベル１０及びラベル付き物品６０について説明したが、本発明の包装用ラベル１０及びラベル付き物品６０は、上述の実施形態に限定されない。
【００９６】
上述の実施形態に係る包装用ラベル１０は、第一収容部２０及び３０の双方が、軸線方向Ｘの両端のうち一方が開口とされ他方が閉塞された袋状の形状とした例を示したが、本発明の包装用ラベルはこれに限定されない。また、上述の実施形態に係る包装用ラベル１０の第二収容部３０は、軸線方向Ｘの両端のうち一方に拡張巻込部３７が形成される例を示したが、本発明の包装用ラベルはこれに限定されない。
【００９７】
例えば、本発明の包装用ラベルは、図１０に示す包装用ラベル１００のように、収容部１１８の軸線方向Ｘの両端に開口１１９ａ，１１９ｂが形成されるものであってもよい。さらに具体的には、本発明の包装用ラベルは、図１０に示す包装用ラベル１００のように、第一収容部１２０の軸線方向Ｘの両端に第一開口１２２，１２３が形成され、第二収容部１３０の軸線方向Ｘの両端に第二開口１３２，１３３が形成されるものであってもよい。また、図１０に示すとおり、本発明の包装用ラベルは、第二収容部１３０の軸線方向Ｘの両端に拡張巻込部１３６，１３７が形成されるものであってもよい。さらには、第二収容部の軸線方向Ｘの両端に開口を形成しつつ、一方の開口近傍に拡張巻込部が形成されるものであってもよい。
【００９８】
さらに、本発明のラベル付き物品は、図１１に示すとおり、一つの第一収容部及び二つの第二収容部を備える包装用ラベル１４０により、３つの物品を結束して包装したラベル付き物品１６０であってもよい。この例が示すように、本発明のラベル付物品は二以上の第二収容部を備える包装用ラベルにより２以上の物品Ｇを結束するものも含まれる。
【００９９】
さらに、上述の実施形態に係る包装用ラベル１０の拡張巻込部３７は、開口基端部４０から開口他端部４２に向けた輪郭が、基準線Ｃに対して傾斜する例を示したが、開口基端部から開口他端部に向けた輪郭は、いかなる形状であってもよい。例えば、本発明の包装用ラベルは、開口基端部から開口他端部に向けた輪郭が、湾曲した形状や屈曲した形状をなすものであってもよい。
【０１００】
さらに、本発明の包装用ラベルは、図１２に示す包装用ラベル２００のように、第二収容部２３０の開口縁２３２ａの起点が端部２１２ａと離間するように形成されたものであってもよい。すなわち、本発明の包装用ラベルは、図１２に示す包装用ラベル２００のように、端部２１２ａと開口基端部２４０とが一致しない位置に形成されたものであってもよい。
【０１０１】
さらに、本発明の包装用ラベルは、図１３に示すような包装用ラベル３００であってもよい。包装用ラベル３００は、第二収容部３３０に第二開口３３２が設けられている。第二開口３３２の開口縁３３２ａは、接続部３１２の端部３１２ａから離間した他の部分であって、端部３１２ａと対向する部分（開口他端部３４２）とは異なる部分が端部１２ａより軸線方向Ｘ外側となるよう形成されている。より具体的には、開口縁３３２ａは、端部３１２ａ側の開口基端部３４０から、開口他端部３４２に至る中途となる部分が、端部３１２ａより軸線方向Ｘ外側となるよう形成されて、巻込部３４３を構成している。なお、本発明の包装用ラベルは、開口縁の中途部分に巻込部３４３を形成する場合、巻込部３４３は、接続部３１２の端部３１２ａから離間した部分のうち、離間距離が大きい部分（開口他端部側）となるよう形成されることが望ましい。
【０１０２】
さらに、本発明のラベル付き物品は、図１４に示すように、包装用ラベル３００により２以上の物品Ｇを結束して包装したラベル付き物品３６０であってもよい。第一物品Ｇｍ及び第二物品Ｇｓを包装用ラベル３００に収容させて、包装用ラベル３００を熱収縮させた状態（ラベル付き物品３６０）では、包装用ラベル３００が第一物品Ｇｍ及び第二物品Ｇｓに略密着して被覆する。図１４に示すとおり、第二収容部３３０は、第二開口３３２の開口縁３３２ａが、接続部３１２の端部３１２ａに向けて収縮した状態となるように装着される。このとき、開口縁３３２ａは、第二物品Ｇｓの端部Ｅｓにおいて、端部３１２ａと一致するように形成された開口基端部３４０に比して、端部１２ａから離間した巻込部３４３が、第二物品Ｇｓの端部Ｅｓの軸中心Ｉに近い位置となる。
【０１０３】
さらに、上述の実施形態に係る包装用ラベル１０は、第一収容部２０と第二収容部３０との境界Ｂが区画部１４により区画されつつ連結された例を示したが、本発明の包装用ラベルはこれに限定されない。例えば、本発明の包装用ラベルは、第一収容部と第二収容部とが隣接する境界において、一部が溶着や接着等により区画され、一部が相互に収容領域を連通させるものであってもよい。言い方を換えれば、本発明の包装用ラベルは、第一収容部の収容領域と第二収容部の収容領域とが完全に区画されず、相互に連通可能とされたものであってもよい。また、本発明の包装用ラベルは、溶断、溶着等、いかなる方法により形成されるものであってもよい。
【０１０４】
さらに、上述の実施形態に係る包装用ラベル１０では、２つの収容部１８が形成され、１つの収容部１８に対して１つの物品Ｇが収容される例を示したが、本発明の包装用ラベルはこれに限定されない。例えば、本発明の包装用ラベルは、一の収容部を第一収容部として、２以上の第二収容部を有するものであってもよい。さらに、本発明の包装用ラベルは、一の収容部に対して２以上の物品を収容可能としてもよい。
【０１０５】
さらに、上述の実施形態に係る包装用ラベル１０では、第一収容部２０にミシン目部５０を設けた例を示したが、本発明の包装用ラベルはこれに限定されない。例えば、本発明の包装用ラベルは、ミシン目が形成されないものであってもよい。また、本発明の包装用ラベルは、第一収容部及び第二収容部の双方又は一方にミシン目部が設けられるものであってもよい。
【０１０６】
さらに、上述の実施形態に係る包装用ラベル１０は、物品Ｇの周部全域を被覆するいわゆるフルシュリンクとした例を示したが、本発明の包装用ラベル１０は、上述の実施形態に限定されない。例えば、本発明の包装用ラベルの第一収容部は、物品の周部を取り囲みつつ、物品の軸線方向の一部を被覆するものであってもよい。
【０１０７】
本発明の包装用ラベルは、包装対象とされる物品等、種々選択可能である。
【産業上の利用可能性】
【０１０８】
本発明の包装用ラベルは、２以上の物品を結束して包装するラベルとして、好適に利用することができる。
【符号の説明】
【０１０９】
１                  熱収縮性フィルム
１０                包装用ラベル
１２                接続部
１２ａ              端部
１４                区画部
１８                収容部
１９                開口
２０                第一収容部
２０ａ              側部
２１ａ，２１ｂ      端部
２２                第一開口（開口）
２２ａ              開口縁
２６                第一巻込部（巻込部）
２８                第一周部被覆部（周部被覆部）
３０                第二収容部
３２                第二開口（開口）
３２ａ              開口縁
３６                第二巻込部（巻込部）
３７                拡張巻込部（巻込部）
３８                第二周部被覆部（周部被覆部）
４０                開口基端部
４２                開口他端部（接続部の端部から離間した他の部分、接続部の端部と対向する部分）
６０                ラベル付き物品
１００              包装用ラベル
１１８              収容部
１１９ａ，１１９ｂ  開口
１２０              第一収容部
１２２，２３４      第一開口
１３０              第二収容部
１３２，１３３      第二開口
１３６，１３７      拡張巻込部
２００              包装用ラベル
２１２ａ            端部
２１８              収容部
２２０              第一収容部
２３０              第二収容部
２３２              第二開口
２３２ａ            開口縁
２４２              開口他端部（接続部の端部から離間した他の部分、接続部の端部と対向する部分）
３００              包装用ラベル
３１２ａ            端部
３１８              収容部
３２０              第一収容部
３３０              第二収容部
３３２              第二開口
３３２ａ            開口縁
３４３              巻込部（接続部の端部から離間した他の部分）
Ｂ                  境界
Ｃ                  基準線
Ｅｍ                端部
Ｅｓ                端部
Ｆｍ                端面（端部）
Ｆｓ                端面（端部）
Ｇ                  物品
Ｇｍ                第一物品（物品）
Ｇｓ                第二物品（物品）
Ｘ                  軸線方向
Ｉ                  軸中心
【図１】
2019177906.tif 000003
【図２】
2019177906.tif 000004
【図３】
2019177906.tif 000005
【図４】
2019177906.tif 000006
【図５】
2019177906.tif 000007
【図６】
2019177906.tif 000008
【図７】
2019177906.tif 000009
【図８】
2019177906.tif 000010
【図９】
2019177906.tif 000011
【図１０】
2019177906.tif 000012
【図１１】
2019177906.tif 000013
【図１２】
2019177906.tif 000014
【図１３】
2019177906.tif 000015
【図１４】
2019177906.tif 000016